(57)【特許請求の範囲】
【請求項１】
表示画面および前記表示画面を照らすバックライトを有する表示部と、
任意の操作ボタンのいずれかが操作された場合に、前記バックライトを点灯させ、前記バックライトが点灯している時に前記操作ボタンが操作された場合に、制御情報を空気調和機に送信する処理部と、を備え、
前記処理部は、任意の前記操作ボタンのいずれかが操作された場合に、前記バックライトを点灯させ、前記バックライトが点灯している時に前記操作ボタンが操作された場合に、制御情報を空気調和機に送信する処理、の実行期間中であることを示す表示を、前記表示部に画面表示すること
を特徴とするリモコン装置。
【請求項２】
表示画面および前記表示画面を照らすバックライトを有する表示部と、
任意の操作ボタンのいずれかが操作された場合に、前記バックライトを点灯させ、前記バックライトが点灯している時に前記操作ボタンが操作された場合に、制御情報を空気調和機に送信する処理部と、を備え、
前記処理部は、
ユーザの就寝時間帯に基づき設定される所定の時間帯において、任意の前記操作ボタンのいずれかが操作された場合に、前記バックライトを点灯させ、前記バックライトが点灯している時に前記操作ボタンが操作された場合に、制御情報を空気調和機に送信する処理、を実行し、
前記所定の時間帯以外の時間帯では、前記操作ボタンが操作された場合に、前記バックライトを点灯させるとともに、制御情報を空気調和機に送信すること
を特徴とするリモコン装置。
【請求項３】
表示画面および前記表示画面を照らすバックライトを有する表示部と、
任意の操作ボタンのいずれかが操作された場合に、前記バックライトを点灯させ、前記バックライトが点灯している時に前記操作ボタンが操作された場合に、制御情報を空気調和機に送信する処理部と、を備え、
前記操作ボタンのうち少なくとも１つは、任意の前記操作ボタンのいずれかが操作された場合に、前記バックライトを点灯させ、前記バックライトが点灯している時に前記操作ボタンが操作された場合に、制御情報を空気調和機に送信する処理、を示す第１の処理の開始指示が対応付けられており、
前記処理部は、
前記第１の処理の開始指示に対応付けられた前記操作ボタンが操作された場合に、前記第１の処理の実行期間を開始すること
を特徴するリモコン装置。
【請求項４】
前記処理部は、
前記第１の処理の開始指示に対応付けられた前記操作ボタンが操作された場合に、さらに、就寝中のユーザが覚醒しないように空調制御する運転モードを示すおやすみ運転を実行させるための制御情報を、前記空気調和機に送信すること
を特徴とする請求項３に記載のリモコン装置。
【請求項５】
前記処理部は、
前記第１の処理の開始指示に対応付けられた前記操作ボタンが操作された場合に、前記第１の処理を所定の時間実行すること
を特徴とする請求項３に記載のリモコン装置。
【請求項６】
前記処理部は、前記第１の処理の開始指示に対応付けられた前記操作ボタンが操作された場合に、前記第１の処理を所定の時間実行し、
前記おやすみ運転を実行させるために設定される設定時間が、前記第１の処理を実行する前記所定の時間以下であること
を特徴とする請求項４に記載のリモコン装置。
【請求項７】
前記操作ボタンは、複数の色を付して構成することを特徴とする請求項１ないし請求項３のいずれか１項に記載のリモコン装置。
【請求項８】
前記色が付された操作ボタンは、光を透過する材質で構成することを特徴とする請求項７に記載のリモコン装置。
【請求項９】
前記操作ボタンのうち、冷房運転、暖房運転および自動運転の指示に対応付けられた操作ボタンを、当該操作ボタン以外の操作ボタンに比べ、前記表示部に近い位置に配置することを特徴とする請求項７に記載のリモコン装置。
【請求項１０】
前記操作ボタンのうち、少なくとも、冷房運転、暖房運転、自動運転および除湿運転の指示に対応付けられた操作ボタンそれぞれの形状を異なるように構成することを特徴とする請求項１ないし請求項３のいずれか１項に記載のリモコン装置。
【請求項１１】
表示画面および前記表示画面を照らすバックライトを有する表示部と、
任意の操作ボタンのいずれかが操作された場合に、前記バックライトを点灯させ、前記バックライトが点灯している時に前記操作ボタンが操作された場合に、制御情報を空気調和機に送信する処理部と、を備え、
前記処理部は、任意の前記操作ボタンのいずれかが操作された場合に、前記バックライトを点灯させ、前記バックライトが点灯している時に前記操作ボタンが操作された場合に、制御情報を空気調和機に送信する処理、を示す第１の処理の実行期間以外の時間帯では、前記操作ボタンが操作された場合に、前記バックライトを点灯させるとともに、制御情報を空気調和機に送信する処理、を示す第２の処理を実行しており、
前記第１の処理において前記バックライトを点灯する点灯時間が、前記第２の処理において前記バックライトを点灯する点灯時間よりも長いこと
を特徴とするリモコン装置。
【請求項１２】
表示画面および前記表示画面を照らすバックライトを有する表示部と、
任意の操作ボタンのいずれかが操作された場合に、前記バックライトを点灯させ、前記バックライトが点灯している時に前記操作ボタンが操作された場合に、制御情報を空気調和機に送信する処理部と、を備え、
前記処理部は、任意の前記操作ボタンのいずれかが操作された場合に、前記バックライトを点灯させ、前記バックライトが点灯している時に前記操作ボタンが操作された場合に、制御情報を空気調和機に送信する処理、の実行期間中であることを示す表示を、前記表示部に画面表示するとともに、
前記処理部は、前記バックライトが点灯している時に前記操作ボタンが操作された場合に、制御情報を空気調和機に送信する処理、において前記バックライトを点灯させるときに、前記表示部に時刻表示を行うこと
を特徴とするリモコン装置。
【発明の詳細な説明】
【技術分野】
【０００１】
本発明は、空気調和機のリモコン装置に関する。
【背景技術】
【０００２】
従来の空気調和機の運転を制御するためのリモコン装置には、ユーザが室内の暗い状態でリモコンを操作するためのバックライトを搭載している。例えば、リモコン装置をユーザが持ち上げたりすると、リモコン装置が備える加速度センサや角度センサ等のセンサがその動作に伴う情報を取得し、バックライトを点灯させる方式がある（特許文献１参照）。その他にも、バックライト点灯のための単独ボタンをリモコン装置に設置し、ユーザがそのボタンを押し下げることによりバックライトを点灯させる方式がある（特許文献２参照）。さらには、リモコン装置に設置されたボタンをユーザが押し下げたときに、リモコン装置の操作情報を送信しながらバックライトを点灯する方式がある。
【先行技術文献】
【特許文献】
【０００３】
【特許文献１】特開２０００−２４９３８８号公報
【特許文献２】特開平９−２６４５９４号公報
【発明の概要】
【発明が解決しようとする課題】
【０００４】
しかしながら、上記した特許文献１のセンサを利用した方式では、リモコン装置に設置するセンサの部品費用が上乗せされることと、センサを内蔵することによりリモコン装置の形状が大型化してしまう問題がある。
【０００５】
バックライト点灯のための単独ボタンをリモコン装置に設置する特許文献２の方式では、ボタンの数が一つ増えることによって、ユーザはまずそのボタンを探して押し下げてから、さらに目的の操作ボタンを探して押し下げる必要があり、操作が煩雑になる問題がある。
【０００６】
また、リモコン装置の操作情報を送信しながらバックライトを点灯する方式では、室内が暗い場合に、ユーザが空気調和機の運転状況やリモコン装置のボタンを認識できないため、ユーザが目的とする空気調和機の制御とは異なる制御を実行するボタンを押し下げてしまう問題、つまり、誤送信が発生する問題がある。
【０００７】
このような背景を鑑みて本発明がなされたのであり、本発明は、使い易いリモコン装置を提供することを課題とする。
【課題を解決するための手段】
【０００８】
本発明のリモコン装置は、表示画面およびその表示画面を照らすバックライトを有する表示部と、任意の操作ボタンのいずれかが操作された場合に、バックライトを点灯させ、バックライトが点灯している時に操作ボタンが操作された場合に、制御情報を空気調和機に送信する処理部と、を備えるものとした。
さらに、リモコン装置は、以下の（１）〜（３）それぞれの構成を備える。
（１）処理部は、任意の操作ボタンのいずれかが操作された場合に、バックライトを点灯させ、バックライトが点灯している時に操作ボタンが操作された場合に、制御情報を空気調和機に送信する処理、の実行期間中であることを示す表示を、表示部に画面表示することを特徴とする。
（２）処理部は、ユーザの就寝時間帯に基づき設定される所定の時間帯において、任意の操作ボタンのいずれかが操作された場合に、バックライトを点灯させ、バックライトが点灯している時に操作ボタンが操作された場合に、制御情報を空気調和機に送信する処理、を実行し、所定の時間帯以外の時間帯では、操作ボタンが操作された場合に、バックライトを点灯させるとともに、制御情報を空気調和機に送信することを特徴とする。
（３）操作ボタンのうち少なくとも１つは、任意の操作ボタンのいずれかが操作された場合に、バックライトを点灯させ、バックライトが点灯している時に操作ボタンが操作された場合に、制御情報を空気調和機に送信する処理、を示す第１の処理の開始指示が対応付けられており、処理部は、第１の処理の開始指示に対応付けられた操作ボタンが操作された場合に、第１の処理の実行期間を開始することを特徴とする。
【発明の効果】
【０００９】
本発明によれば、使い易いリモコン装置を提供することができる。
【図面の簡単な説明】
【００１０】
【図１】本実施形態に係るリモコン装置を含む空気調和機の全体構成を示す図である。
【図２】本実施形態に係るリモコン装置の扉を閉じた状態と開いた状態の斜視図である。
【図３】本実施形態に係るリモコン装置の構成例を示す機能ブロック図である。
【図４】ユーザによりおやすみ運転モードが設定された際の表示画面例を示す図である。
【図５】おやすみ運転の終了後であって、点灯後再押下送信処理の実行期間内での表示画面例を示す図である。
【図６】おやすみ運転の終了後であって、点灯後再押下送信処理の実行期間内での表示画面例を示す図である。
【図７】本実施形態に係る室内機の構成例を示す機能ブロック図である。
【図８】本実施形態に係る点灯後再押下送信処理を示すフローチャートである。
【図９】本実施形態に係るリモコン装置の点灯後再押下送信処理（実施例１）を実行する流れを示すフローチャートである。
【図１０】本実施形態に係るリモコン装置が点灯後再押下送信処理（実施例１）を実行する際の、室内機（空気調和機）の動作を示すフローチャートである。
【図１１】本実施形態に係るリモコン装置が点灯後再押下送信処理（実施例１）を実行する際の、リモコン装置の画面表示と、室内機（空気調和機）の運転状態とを時系列で説明するための図である。
【図１２】本実施形態に係るリモコン装置の点灯後再押下送信処理（実施例２）を実行する流れを示すフローチャートである。
【図１３】本実施形態に係るリモコン装置の変形例１について説明するための図である。
【図１４】本実施形態に係るリモコン装置の変形例２について説明するための図である。
【発明を実施するための形態】
【００１１】
まず、本実施形態に係るリモコン装置１０を含む空気調和機Ｓについて説明する。
図１は、本実施形態に係るリモコン装置１０を含む空気調和機Ｓの全体構成を示す図である。
図１に示すように空気調和機Ｓは、室内機１００、室外機２００およびリモコン装置１０を備える。室内機１００と室外機２００とは冷媒配管（図示省略）で接続され、周知の冷凍サイクルによって、室内機１００が設置されている室内を空調する。また、室内機１００と室外機２００とは、通信ケーブル（図示省略）を介して互いに情報を送受信するようになっている。
【００１２】
リモコン装置１０はユーザによって操作され、室内機１００のリモコン送受信部１０１に対して赤外線信号等による制御要求のため情報（以下、「制御情報」と称する。）を送信する。この制御情報の内容は、運転要求、設定温度の変更、おやすみタイマー値の設定、運転モードの変更、停止要求等の指令である。室内機１００は、この制御情報に基づいて、冷房運転モード、暖房運転モード、自動運転モード、除湿運転モード、おやすみ運転モード等の空調運転を行う。また、リモコン装置１０は、室内機１００のリモコン送受信部１０１から、室温情報、湿度情報等の情報を受信し、ユーザにこれらの情報を通知する。
【００１３】
また、室内機１００の前面の下部には、室内の画像情報を取得するための撮像部１０３や近赤外線投光機（図示省略）、室内の温度情報を取得するためのサーモパイル（図示省略）が設置されていてもよい。
撮像部１０３は、室内の画像情報を取得するための光学レンズや撮像素子等を備えており、室内機１００が設置された室内の間取りを検出したり、室内に存在する人およびその位置情報を検出したりする。また、ユーザが就寝中などで、室内の照度が低い場合には、撮像時に近赤外線投光機により近赤外線光を照射して、近赤外線画像を撮像部１０３が取得し、間取りや人の位置を特定する。さらに、サーモパイルにより、室内の温度分布を検出し、人の位置に対応させて体温情報を検出するようにしてもよい。
【００１４】
次に、空気調和機Ｓを構成する、リモコン装置１０および室内機１００について説明する。なお、室外機２００については、空気調和機Ｓを運転するための必須の構成を備えているが、それらは周知の構成であるので説明を省略する。
【００１５】
≪リモコン装置≫
まず、本実施形態に係るリモコン装置１０について、図２および図３を参照して説明する。
図２は、本実施形態に係るリモコン装置１０の扉を閉じた状態と開いた状態の斜視図である。
図２（ａ）に示すように、リモコン装置１０の筺体９の前面は、上部が表示部１、下部が操作部２に区分されている。
表示部１は、液晶パネルや、それを覆う保護レンズ、液晶パネル平面の下部や側面に設置されるバックライト等により構成される。
【００１６】
操作部２は、扉４の表面（図２（ａ）参照）と扉４に覆われる部分（図２（ｂ）参照）に位置する。扉４は、図２（ｂ）に示すように、ヒンジによってリモコン装置１０の筺体９に連結され、ヒンジを支点として開閉する。操作部２には、扉４の表面および扉４によって覆われる部分に、操作ボタン３（以下、単に「ボタン」と称する場合がある。）が分散して配置される。なお、扉表面のボタンを操作ボタン３ａ（図２（ａ）参照）とする。また、扉４によって覆われる部分のボタンを、本体の操作ボタン３ｂ（図２（ｂ）参照）とする。
【００１７】
扉表面の操作ボタン３ａ（図２（ａ）参照）は、運転モードの選択や室温設定の変更、運転停止等の空気調和機Ｓの主要な制御を実行させるためのボタンである。例えば、運転モードとして、「自動」「暖房」「冷房」「除湿」を選択するボタンや、「停止」ボタン、室温設定を上げ下げするためのボタンが扉表面に配置される。
【００１８】
本体の操作ボタン３ｂ（図２（ｂ）参照）は、室内機１００の上下左右の風向や、風速の設定、空気調和機Ｓの運転を停止または開始させる「タイマー」の設定や、「おやすみ運転」の設定等の各種の機能を選択するためのボタンである。
【００１９】
このおやすみ運転とは、就寝中のユーザに適した運転モードを意味する。ユーザは、おやすみ運転を実行させる時間（タイマー時間）を設定する。そして、ユーザが設定したタイマー時間が経過すると、空気調和機Ｓは、運転を停止する。
ここで、就寝中のユーザに適した運転モードとは、睡眠中のユーザを室内機１００の運転により覚醒させないように、例えば、風速を微風に設定したり、室内機１００の撮像部１０３により検知されたユーザの位置に送風しないように、つまり、直接ユーザに風が当たらないように風向を調整したり等の運転を行うモードである。
【００２０】
本実施形態に係るリモコン装置１０は、前記した使い易くするという課題、つまり、室内が暗い状態でリモコンのボタンをユーザが操作するために起こる誤操作等の問題を解決するため、以下に示す処理を実行することを特徴とする。即ち、リモコン装置１０の表示部１に備えるバックライトを、おやすみ運転中、または、ユーザの就寝時間帯に基づき設定される所定の時間帯（例えば、室内の照明が消灯される２２時〜６時）に限り、任意の操作ボタン３（３ａ，３ｂ）をユーザが押し下げる（タッチ等の操作をする）ことにより点灯させる。そして、バックライト点灯時に再度ユーザが、目的の操作ボタン３を押し下げることにより、リモコン装置１０からの制御情報を室内機１００に送信する。
このような構成にすることにより、加速度センサや角度センサ等をリモコン装置１０に新たに備えさせる必要がなくなり、センサ等の部品費用が上乗せされないとともに、センサ等の部品が不要となって、リモコン装置１０の大型化を防ぐことができる。また、任意の操作ボタン３を押し下げることにより、バックライトが点灯するため、バックライト点灯のための単独ボタンによる操作の煩雑さを回避することができる。さらに、１回目の任意の操作ボタン３の押し下げでは、バックライトが点灯するだけであり、制御情報が室内機１００に送信されないため、ユーザは、バックライト点灯時にバックライトで照らされた操作ボタン３を確認して目的の操作ボタン３を押し下げることができる。そのため、リモコン装置１０からの誤送信を防ぐことができる。
【００２１】
＜リモコン装置の構成＞
次に、本実施形態に係るリモコン装置１０の構成について具体的に説明する。
図３は、本実施形態に係るリモコン装置１０の構成例を示す機能ブロック図である。
リモコン装置１０は、処理部１１、表示部１、操作受付部１２、送受信部１３および記憶部１４を備える。
【００２２】
表示部１は、前記したように、液晶パネルや、バックライト等により構成され、運転モードや風向、風量等の運転状況、タイマー等の設定情報として、例えば、「おやすみ運転」中であることや、その設定時間、現在時刻等の情報を、液晶画面に表示する。また、表示部１は、処理部１１の指示に基づき、バックライトを所定の時間点灯させる。
【００２３】
操作受付部１２は、リモコン装置１０が備える操作ボタン３（図２参照）等により構成される。この操作ボタン３は、空調を制御するための操作内容（各種指示）に対応付けられており、ユーザにより目的とする操作ボタン３が押し下げられる（操作される）と、その情報を操作受付部１２が処理部１１に出力する。
【００２４】
送受信部１３は、室内機１００（空気調和機Ｓ）との通信に用いられる通信インタフェースである。具体的には、送受信部１３は、処理部１１の指示に基づき、運転モードの設定や、設定温度の変更、タイマー値の設定等の制御情報を、赤外線信号等により、室内機１００に送信する。また、送受信部１３は、室内機１００から赤外線信号等を受信し、室温や湿度等の情報や、室内機１００の運転状態に関する情報を取得し、処理部１１に出力する。
【００２５】
記憶部１４は、情報を記憶する手段であり、ＲＡＭ（Random Access Memory）やＲＯＭ（Read Only Memory）等により構成される。また、この記憶部１４には、処理部１１の動作プログラムが格納される。そして、処理部１１は、記憶部１４に格納された動作プログラムを、図示を省略したＣＰＵ（Central Processing Unit）がＲＡＭ等に展開し実行することにより実現される。
【００２６】
処理部１１は、空気調和機Ｓの一般的なリモコン装置が実行する空調制御のための指示を、操作受付部１２を介してユーザから受け付け、室内機１００に制御情報として送信する。さらに、処理部１１は、本実施形態における特徴的な処理として、リモコン装置１０の表示部１に備えるバックライトを、おやすみ運転の開始から所定の時間、または、ユーザの就寝時間帯に基づき設定される所定の時間帯（例えば、室内の照明が消灯される２２時〜６時）においては、任意の操作ボタン３をユーザが押し下げることにより点灯させる。このとき、処理部１１は、バックライトを点灯させるだけであり、押し下げられたボタンの制御情報は、室内機１００には送信しない。続いて、処理部１１は、バックライトが所定の時間点灯中（例えば、１０秒）に再度操作ボタン３が押し下げられたときに、その操作ボタン３に対応付けられた操作内容を制御情報として室内機１００に送信する処理を行う。
【００２７】
なお、この１回目の任意の操作ボタン３の押し下げによりバックライトを点灯し、その後、バックライト点灯中の２回目の操作ボタン３の押し下げにより制御情報を送信する処理を、以下「点灯後再押下送信処理」（第１の処理）と称する。
一方、処理部１１は、点灯後再押下送信処理の設定時間外、つまり、おやすみ運転の開始から所定の時間、または、ユーザの就寝時間帯として設定された所定の時間、以外の時間帯では、ユーザによる１回目の操作ボタン３の押し下げにより、バックライトを所定の時間（例えば、５秒）点灯させるとともに、１回目の操作ボタン３の押し下げにより選択された操作内容を制御情報として室内機１００に送信する処理を行う。なお、この処理を、以下「点灯同時送信処理」（第２の処理）と称する。
処理部１１は、この点灯後再押下送信処理を、図２（ａ）に示す扉表面に設けられた操作ボタン３ａのうちの任意のボタンが押し下げられたときに実行するようにしてもよいし、扉４を開けたままユーザが就寝した場合を考慮して、図２（ｂ）に示す本体の操作ボタン３ｂを含めた任意の操作ボタン３が押し下げられたときに実行するようにしてもよい。
【００２８】
次に、処理部１１が、点灯後再押下送信処理の際に、表示部１の液晶画面等に表示させる画面例について、図４〜図６を参照して説明する。
図４は、ユーザによりおやすみ運転モードが設定された際の表示部１の表示画面例を示す図である。
リモコン装置１０の操作ボタン３（図２参照）を操作することにより、おやすみ運転モードが設定されると、処理部１１は、ユーザにより設定されたおやすみ運転モードの実行時間（タイマー時間）と、現在時刻とを制御情報として、室内機１００に送信するとともに、表示部１に画面表示する。このおやすみ運転モードは、所定の時間（例えば、３０分〜９時間の間）でユーザにより設定できるようにしておく。図４においては、おやすみ運転モードの実行時間が「２時間」（符号ｂ）に設定された例を示している。また、処理部１１は、おやすみ運転中であることを示す「おやすみ」表示（符号ａ）を表示部１に画面表示する。さらに、処理部１１は、ユーザによりおやすみ運転モードが設定されると同時に、所定の時間（例えば、９時間）の点灯後再押下送信処理（第１の処理）を開始する。つまり、処理部１１は、おやすみ運転モードが設定された後、所定の時間は、１回目の操作ボタン３の押し下げによりバックライトを点灯し、点灯中に２回目の操作ボタン３の押し下げがあったときに、制御情報を室内機１００に送信する処理を実行する。
【００２９】
処理部１１は、おやすみ運転モードの設定時間が終了した後においても、おやすみ運転モードの開始時刻から前記した所定の時間においては、点灯後再押下送信処理を実行する。また、処理部１１は、おやすみ運転の終了時刻（おやすみタイムアップ）後においても、「おやすみ」表示の画面表示を、点灯後再押下送信処理を実行する前記した所定の時間が終了するまで継続する。このように「おやすみ」表示の画面表示を継続するのは、１回目の操作ボタン３の押し下げでは、制御情報が室内機１００に送信されない状態であることをユーザに認識させるためである。
【００３０】
図５は、おやすみ運転の終了時刻後であって、点灯後再押下送信処理の実行期間内での表示部１の表示画面例を示している。図５に示すように、おやすみ運転の終了時刻後であって、点灯後再押下送信処理の実行期間内に、ユーザがリモコン装置１０の任意の操作ボタン３を押し下げた場合に、バックライトが点灯し、「おやすみ」表示（符号ａ）が表示される。ユーザは、この「おやすみ」表示を確認することにより、点灯後再押下送信処理の実行期間中であること、つまり、１回目の操作ボタン３の押し下げでは、制御情報が室内機１００へ送信されていないことを認識することができる。
また、処理部１１は、おやすみ運転の終了時刻後であって、点灯後再押下送信処理の実行期間内に、ユーザが任意の操作ボタン３を押し下げた場合に、図６に示すように、「おやすみ」表示（符号ａ）に加えて、現在時刻（符号ｃ）も同時に表示するようにしてもよい。なお、このとき現在時刻に加えて日付（月日）をさらに表示してもよい。このようにすることで、ユーザは、任意の操作ボタン３を押し下げることで、現在時刻等の時刻表示を確認した上、さらに、室内機１００に制御情報を送信するか否かを判断することができる。
【００３１】
なお、処理部１１は、おやすみ運転中、および、おやすみ運転の終了時刻後であって、点灯後再押下送信処理の実行期間内において、リモコン装置１０のおやすみ運転の取消を指示する操作ボタン３がユーザにより押し下げられた場合には、表示部１に画面表示された「おやすみ」表示（符号ａ）を無くし、点灯後再押下送信処理を終了する。つまり、１回目の操作ボタン３の押し下げによりバックライトを点灯すると同時に制御情報を送信する点灯同時送信処理（第２の処理）に戻る。
【００３２】
一方、処理部１１は、点灯後再押下送信処理を実行する所定の時間帯を、ユーザの就寝時間帯（例えば、室内の照明が消灯される２２〜６時）として予め設定した場合において、前記したおやすみ運転の設定等とは関係なく、その所定の時間帯においては、点灯後再押下送信処理を実行する。このとき、処理部１１は、点灯後再押下送信処理の実行時間内（所定の時間帯）であることを示す表示を、表示部１に画面表示するようにしてもよい。これにより、１回目の操作ボタン３の押し下げでは、制御情報が室内機１００へ送信されていないことをユーザに認識させることができる。
【００３３】
また、処理部１１は、点灯後再押下送信処理におけるバックライトの点灯時間の方が、点灯同時送信処理におけるバックライトの点灯時間よりも長くなるようにする。例えば、処理部１１は、点灯後再押下送信処理におけるバックライトの点灯時間を１０秒に設定し、点灯同時送信処理におけるバックライトの点灯時間を５秒に設定する。このようにすることで、ユーザは、点灯後再押下送信処理において、目的とする操作ボタン３の位置をバックライトからの明かりを用いて確実に押し下げることができる。また、点灯同時送信処理における無駄な電力消費を防ぐ（電池の残量を節約する）ことができる。
【００３４】
≪室内機≫
次に、本実施形態に係る室内機１００について説明する。
図７は、本実施形態に係る室内機１００の構成例を示す機能ブロック図である（適宜図１参照）。
室内機１００は、制御部１１０、リモコン送受信部１０１、環境検出部１０２、記憶部１０４を備える。さらに、室内機１００は、撮像部１０３を備えてもよい。
【００３５】
リモコン送受信部１０１は、リモコン装置１０との通信に用いられる通信インタフェースである。具体的には、リモコン送受信部１０１は、リモコン装置１０からの赤外線信号等による制御情報（運転要求、設定温度の変更、おやすみ運転の設定など）を受信し、制御部１１０（後記する「運転制御部１１１」）に出力する。また、リモコン送受信部１０１は、室温情報や温度情報、運転状態に関する情報等をリモコン装置１０に送信する。
【００３６】
環境検出部１０２は、室内機１００の吸気の温度や湿度を検出する温度・湿度センサ等（図示省略）により構成され、検出した温度情報や湿度情報等を制御部１１０（運転制御部１１１）に出力する。
【００３７】
記憶部１０４は、情報を記憶する手段であり、ＲＡＭやＲＯＭ等により構成される。また、この記憶部１０４には、制御部１１０の動作プログラムが格納される。そして、制御部１１０は、記憶部１０４に格納された動作プログラムを、図示を省略したＣＰＵがＲＡＭ等に展開し実行することにより実現される。
【００３８】
また、室内機１００に撮像部１０３を備えるようにしてもよい（図１参照）。撮像部１０３は、図１において説明したように、室内の画像情報を取得するカメラ等の撮像手段により構成される。撮像部１０３は、取得した画像情報を制御部１１０（後記する、撮像検出部１１３）に出力する。また、撮像部１０３には、室内の照度が低い場合に用いる近赤外線投光機（図示省略）や、サーモパイル（図示省略）を備えるようにしてもよい。
【００３９】
制御部１１０は、室内機１００全体の制御を司り、室内機１００が設置された室内の空調制御を実行する。この制御部１１０は、運転制御部１１１および駆動制御部１１２を含んで構成される。
【００４０】
運転制御部１１１は、リモコン装置１０から、リモコン送受信部１０１を介して受信した制御情報に基づき、冷房運転、暖房運転、自動運転、除湿運転、おやすみ運転等の各運転モードにおける制御を実行する。具体的には、駆動制御部１１２に対して、駆動指示を出力する。また、運転制御部１１１は、環境検出部１０２により検出された温度情報や湿度情報に基づき、温度や風速、風向を調整する駆動指示を、駆動制御部１１２に出力する。
さらに、運転制御部１１１は、現時点の温度や湿度、風速、風向等の情報を、リモコン送受信部１０１を介して、リモコン装置１０に送信する。
【００４１】
駆動制御部１１２は、運転制御部１１１からの駆動指示に基づき、室外機２００との間での冷凍サイクル（図示省略）や、室内機１００が備える室内ファンモータ（図示省略）、上下風向板用のモータ（図示省略）等の駆動を行う。
【００４２】
また、制御部１１０は、室内機１００が撮像部１０３を有する場合には、撮像検出部１１３を備える。
撮像検出部１１３は、撮像部１０３が取得した画像情報に基づき、室内機１００が設定された室内の間取りを検出したり、室内に存在する人およびその位置を検出したりする。また、撮像検出部１１３は、室内の照度が低い場合には、近遠赤外画像を撮像部１０３から取得し、間取りや人の位置を特定する。さらに、撮像検出部１１３は、サーモパイルにより、室内の温度分布を検出し、人の位置に対応させて体温情報を検出するようにしてもよい。
撮像検出部１１３は、検出した室内の間取りや人の位置情報等の検出情報を、運転制御部１１１に出力する。そして、運転制御部１１１は、その検出情報に基づき、運転の再開や停止、風向や風速等の制御を実行する。
【００４３】
ここで、運転制御部１１１は、環境検出部１０２から取得した温度情報や湿度情報、撮像検出部１１３から取得した検出情報に基づき、就寝時間帯にユーザが設定したおやすみ運転が終了した後、以下のような「おやすみ監視」を行ってもよい。
このおやすみ監視は、おやすみ運転の空調制御が終了した後に、室温や体動、体温の監視を行い、所定の条件を満たす場合に運転を再開する。これにより、室温上昇（夏季）や室温低下（冬季）によって就寝中のユーザが覚醒しないようにし、快適な睡眠環境を提供する。
【００４４】
例えば、おやすみ運転の終了後、室温上昇が２度以上となったら、室内機１００の運転を再開する。睡眠中のユーザの寝返り等の体動が所定量以上となったら運転を再開する。また、睡眠中のユーザの体温が所定値以上の上昇となったら運転を再開する。その後、例えば、室温がおやすみ運転開始時の設定値になったら運転を停止する。なお、このときの運転を、おやすみ監視運転と称する。
このように、おやすみ監視では、ユーザが設定したおやすみ運転後であっても、睡眠中のユーザが覚醒することのないように監視し、自動的におやすみ監視運転を開始し終了する。
また、運転制御部１１１は、このおやすみ監視を実行する期間を、おやすみ運転の終了時点を開始時刻とし、終了時刻として、例えば、ユーザがおやすみ運転を設定した時刻から所定の時間（例えば、９時間）後のように設定しておく。
【００４５】
なお、リモコン装置１０が実行する点灯後再押下送信処理の所定の時間と、このおやすみ監視の所定の時間を一致させてもよい。これにより、リモコン装置１０の表示画面を、おやすみ運転終了後に見たユーザは、図５に示すような「おやすみ」表示が画面表示されていることにより、点灯後再押下送信処理が実行されているとともに、おやすみ監視が行われていることを、認識することができる。
【００４６】
≪処置の流れ≫
次に、本実施形態に係るリモコン装置１０の処理の流れについて説明する。まず、リモコン装置１０（処理部１１）が行う、点灯後再押下送信処理（第１の処理）の詳細について説明する。次に、リモコン装置１０が、点灯後再押下送信処理を、おやすみ運転開始から所定の時間実行する場合（以下、「実施例１」とする。）の処理の流れについて説明する。続いて、リモコン装置１０が、点灯後再押下送信処理を、おやすみ運転開始から所定の時間実行する場合における、室内機１００（空気調和機Ｓ）の処理の流れを説明する。なお、点灯後再押下送信処理を、ユーザの就寝時間帯に基づき予め設定される所定の時間帯において実行する場合（以下、「実施例２」とする。）の処理の流れについては、後記する。
【００４７】
＜点灯後再押下送信処理＞
図８は、本実施形態に係る点灯後再押下送信処理（第１の処理）を示すフローチャートである。
まず、リモコン装置１０の処理部１１は、点灯後再押下送信処理の実行期間内において、任意の操作ボタン３のいずれかが押し下げられたか否かを判定する（ステップＳ１）。
ここで、いずれの操作ボタン３も押し下げられていない場合は（ステップＳ１→Ｎｏ）、ステップＳ１に戻り、いずれかの操作ボタン３が押し下げられるまで待つ。一方、処理部１１は、いずれかの操作ボタン３が押し下げられた場合（１回目の押し下げの場合）には（ステップＳ１→Ｙｅｓ）、次のステップＳ２に進む。そして、ステップＳ２において、処理部１１は、表示部１のバックライトを点灯させる。
【００４８】
次に、処理部１１は、バックライトの所定の点灯時間（例えば、１０秒）が経過したか否かを判定する（ステップＳ３）。ここで、まだ、所定の点灯時間が経過していない場合（ステップＳ３→Ｎｏ）、つまり、バックライトが点灯中の場合には、次のステップＳ４に進む。
【００４９】
ステップＳ４において、処理部１１は、操作ボタン３が押し下げられたか否かを判定する。
ここで、操作ボタン３が押し下げられていない場合には（ステップＳ４→Ｎｏ）、ステップＳ３に戻る。一方、処理部１１は、操作ボタン３が押し下げられた場合（２回目の押し下げの場合）には（ステップＳ４→Ｙｅｓ）、次のステップＳ５に進む。そして、ステップＳ５において、２回目に押し下げられた操作ボタン３に対応付けられた制御情報を室内機１００に送信し、ステップＳ３に戻る。
【００５０】
続いて、処理部１１は、バックライトの所定の点灯時間が経過した場合（ステップＳ３→Ｙｅｓ）、表示部１のバックライトを消灯させ（ステップＳ６）、このフローの処理を終える。
【００５１】
＜リモコン装置の点灯後再押下送信処理（実施例１）＞
続いて、リモコン装置１０が、点灯後再押下送信処理を、おやすみ運転開始から所定の時間実行する場合（以下、「実施例１」とする。）の処理の流れについて説明する。
図９は、本実施形態に係るリモコン装置１０の点灯後再押下送信処理（実施例１）を実行する流れを示すフローチャートである。
図９において、リモコン装置１０の処理部１１（図３参照）は、おやすみ運転の開始から所定の時間、点灯後再押下送信処理を実行する。その間、処理部１１は、点灯後再押下送信処理の実行期間中であることを示す表示（ここでは「おやすみ」表示）を、表示部１の表示画面に表示し続ける。以下、具体的に説明する。
【００５２】
まず、リモコン装置１０の処理部１１は、操作受付部１２（図３参照）を介して、ユーザにより、おやすみ運転の運転時間（タイマー時間）が設定され、おやすみ運転の開始を示す操作ボタン３が押し下げられたか否かを判定する（ステップＳ１０）。
ここで、処理部１１は、おやすみ運転の開始を示す操作ボタン３が押し下げられていなければ（ステップＳ１０→Ｎｏ）、ステップＳ１０に戻り、当該操作ボタン３が押し下げられるまで待つ。一方、当該操作ボタン３が押し下げられたならば（ステップＳ１０→Ｙｅｓ）、次のステップＳ１１に進む。
【００５３】
ステップＳ１１において、処理部１１は、おやすみ運転について設定された運転時間（タイマー時間）とおやすみ運転の開始を示す制御情報を、送受信部１３（図３参照）を介して、室内機１００に送信する。また、処理部１１は、表示部１に、おやすみ運転中であることを示す「おやすみ」表示と、おやすみ運転の運転時間とを画面表示する（図４参照）。なお、おやすみ運転時間の画面表示は、時間の経過とともに減少し、おやすみ運転終了までの残り時間を表示するようにする。
【００５４】
また、処理部１１は、ステップＳ１０において、おやすみ運転を示す操作ボタン３が押し下げられたことを契機として、点灯後再押下送信処理を開始する（ステップＳ１２）。ここで、処理部１１は、点灯後再押下送信処理の所定の時間（例えば、９時間）についてのタイマーをスタートさせる。
なお、このステップＳ１１とステップＳ１２は、特に順序を問わず、おやすみ運転を示す操作ボタン３が押し下げられたことを契機として、同時期に実行される。
【００５５】
次に、処理部１１は、おやすみ運転についてユーザにより設定された時間が経過し、おやすみ運転を終了するか否かを判定する（ステップＳ１３）。ここで、処理部１１は、まだ、おやすみ運転の設定時間が経過していない場合には（ステップＳ１３→Ｎｏ）、ステップＳ１３に戻り、当該設定時間が経過するまで待つ。一方、おやすみ運転の設定時間に達した場合には（ステップＳ１３→Ｙｅｓ）、次のステップＳ１４に進む。
【００５６】
ステップＳ１４において、処理部１１は、表示部１の画面表示において、「おやすみ」表示以外の画面表示を無くす（図５参照）。なお、このとき、処理部１１は、図６に示すように時刻表示を「おやすみ」表示とともに表示させるようにしてもよい。
【００５７】
続いて、処理部１１は、ステップＳ１２において開始された点灯後再押下送信処理についての所定の時間が終了したか否かを判定する（ステップＳ１５）。ここで、処理部１１は、まだ、当該所定の時間が終了していない場合には（ステップＳ１５→Ｎｏ）、ステップＳ１５に戻り、当該所定の時間が終了するまで待つ。一方、点灯後再押下送信処理についての所定の時間が終了した場合には（ステップＳ１５→Ｙｅｓ）、次にステップＳ１６に進む。
【００５８】
ステップＳ１６において、処理部１１は、表示部１の画面表示において「おやすみ」表示を無くすとともに、点灯後再押下送信処理を終了する。つまり、処理部１１は、通常の設定として、１回目の操作ボタン３の押し下げにより制御情報を送信する点灯同時送信処理に戻り、このフローの処理を終える。
【００５９】
このようにすることで、リモコン装置１０は、おやすみ運転の開始から所定の時間、点灯後再押下送信処理を実行することができる。このとき、リモコン装置１０に、新たなセンサを備える必要はなく、バックライト点灯のための単独のボタンを設ける必要もない。また、ユーザはバックライトからの光に照らされた操作目的に合致した操作ボタン３を確認して押し下げることができるため、誤送信を防ぐことができる。
【００６０】
＜室内機の動作＞
次に、上記した実施例１の場合における、室内機１００（空気調和機Ｓ）の動作について説明する。
図１０は、本実施形態に係るリモコン装置１０が点灯後再押下送信処理（実施例１）を実行する際の、室内機１００側の動作を示すフローチャートである。なお、ここでは、室内機１００に、撮像部１０３および撮像検出部１１３が備わっており、おやすみ運転の終了後に、前記したおやすみ監視を行うものとして説明する。
【００６１】
まず、室内機１００の制御部１１０（運転制御部１１１）（図７参照）は、リモコン送受信部１０１を介して、リモコン装置１０から、おやすみ運転の制御情報、つまり、おやすみ運転の設定時間およびおやすみ運転開始を示す制御情報を受信したか否かを判定する（ステップＳ２０）。
ここで、運転制御部１１１は、当該制御情報を受信していなければ（ステップＳ２０→Ｎｏ）、ステップＳ２０に戻り、当該制御情報を受信するまで待つ。一方、運転制御部１１１は、おやすみ運転の設定時間およびおやすみ運転開始を示す制御情報を受信したならば（ステップＳ２０→Ｙｅｓ）、次のステップＳ２１に進む。なお、運転制御部１１１は、当該制御情報を受信した場合に、おやすみ監視を実行する（おやすみ監視の終了時刻を決定するための）所定の時間のタイマーをスタートさせる。
【００６２】
ステップＳ２１において、運転制御部１１１は、駆動制御部１１２に駆動指示の情報を出力し、おやすみ運転を実行する。
【００６３】
続いて、運転制御部１１１は、おやすみ運転について設定された時間が経過し、おやすみ運転を終了するか否かを判定する（ステップＳ２２）。ここで、運転制御部１１１は、まだ、おやすみ運転の設定時間が経過していない場合には（ステップＳ２２→Ｎｏ）、ステップＳ２２に戻り、当該設定時間が経過するまで待つ。一方、おやすみ運転の設定時間が経過した場合には（ステップＳ２２→Ｙｅｓ）、運転制御部１１１は、駆動制御部１１２に対し停止の指示（おやすみ運転終了の指示）を出力し、次のステップＳ２３に進む。
【００６４】
ステップＳ２３において、運転制御部１１１は、おやすみ運転の終了後、おやすみ監視を開始する。おやすみ監視は、室温や、就寝中のユーザの体動や体温等を監視することにより行う。
【００６５】
続いて、運転制御部１１１は、おやすみ監視の所定の時間が終了したか否かを判定する（ステップＳ２４）。ここで、運転制御部１１１は、まだ、おやすみ監視の所定の時間が終了していない場合には（ステップＳ２４→Ｎｏ）、ステップＳ２５に進む。
【００６６】
ステップＳ２５において、運転制御部１１１は、おやすみ監視運転を実行する所定の条件を満たすか否かを判定する。所定の条件とは、室温上昇（夏季）や室温低下（冬季）が設定から２度以上となった場合や、睡眠中のユーザの寝返り等の体動が所定量以上あった場合、睡眠中のユーザの体温が所定値以上の上昇となった場合等である。
ここで、運転制御部１１１は、所定の条件を満たさない場合には、（ステップＳ２５→Ｎｏ）、ステップＳ２４に戻る。一方、おやすみ監視運転を実行する所定の条件を満たす場合には（ステップＳ２５→Ｙｅｓ）、運転制御部１１１は、駆動制御部１１２に対して、おやすみ監視運転の実行指示を出力し、おやすみ監視運転を実行させ（ステップＳ２６）、ステップＳ２４に戻る。
【００６７】
ステップＳ２４において、おやすみ監視運転の所定の時間が終了した場合（ステップＳ２４→Ｙｅｓ）、運転制御部１１１は、おやすみ監視を終了し（ステップＳ２７）、このフローの処理を終える。
【００６８】
次に、図９および図１０において説明した、実施例１の場合における点灯後再押下送信処理の流れを時系列で説明する。
図１１は、本実施形態に係るリモコン装置１０が点灯後再押下送信処理（実施例１）を実行する際の、リモコン装置１０の表示部１の画面表示と、空気調和機Ｓの運転状態とを時系列で説明するための図である。
【００６９】
ここで、図１１に示す、時刻ｔ０〜ｔ１が、おやすみ運転の運転時間であり、時刻ｔ０〜ｔ２が、点灯後再押下送信処理の実行期間となる。
例えば、おやすみ運転の運転時間（タイマー時間）が、ユーザにより時刻ｔ０（例えば、22時00分）に２時間と設定された場合、時刻ｔ０から、おやすみ運転が開始され、点灯後再押下送信処理も開始される。そして、ユーザが設定したおやすみ運転の終了時刻である時刻ｔ１（この例では、0時00分）におやすみ運転が終了する。一方、点灯後再押下送信処理は、おやすみ運転の開始から所定の時間（例えば、９時間）が設定され、時刻ｔ２（この例では、7時00分）まで実行される。なお、おやすみ運転の終了時刻ｔ１の後は、通常、空気調和機Ｓの運転状態は停止となるが、符号１００１に示すように、室内機１００がおやすみ監視機能を備えている場合には、時刻ｔ１〜ｔ２の間は、おやすみ監視の実行期間となる（ここでは、点灯後再押下送信処理の終了時刻とおやすみ監視の終了時刻を一致させている。）。
【００７０】
また、リモコン装置１０の表示部１には、符号１００２に示すように、時刻ｔ０〜ｔ２の間、「おやすみ」表示（図５の符号ａ）が画面表示される。さらに、符号１００３に示すように、現在時刻も時刻ｔ０〜ｔ２の間、表示部１に画面表示される例（図６の符号ｃ）を示している。なお、図１１に示す「バックライト」の時系列の処理は、点灯後再押下送信処理の実行期間内（時刻ｔ０〜ｔ２）においては、操作ボタン３の押し下げにより、制御情報の送信なしで点灯することを示す。また、「ボタン操作」の時系列の処理は、同じく点灯後再押下送信処理の実行期間内（時刻ｔ０〜ｔ２）においては、バックライト点灯時のボタン操作で制御情報が送信されることを示す。この点灯後再押下送信処理の実行期間内（時刻ｔ０〜ｔ２）以外の時間帯においては、点灯同時送信処理（図１１においては、「一発送信」と記載）が行われることを示す。
【００７１】
ここで、通常は、ユーザによるおやすみ運転の設定時刻（この例では、２時間）よりも、点灯後再押下送信処理を実行する所定の時間（この例では、９時間）の方が長くなる。しかしながら、例えば、おやすみ運転の設定可能な時間が、３０分から９時間のようなケースでは、おやすみ運転の設定時刻（例えば、９時間）と、点灯後再押下送信処理を実行する所定の時間（例えば、９時間）が同じであってもよい。つまり、ユーザによるおやすみ運転の設定時間は、点灯後再押下送信処理を実行する所定の時間以下であればよい。このようにすることで、ユーザが就寝しようとする時間においては、すべて点灯後再押下送信処理を実行することが可能となる。
【００７２】
＜リモコン装置の点灯後再押下送信処理（実施例２）＞
次に、リモコン装置１０の点灯後再押下送信処理の実施例２について説明する。実施例２では、リモコン装置１０が、点灯後再押下送信処理を、ユーザの就寝時間帯に基づき予め設定される所定の時間帯（例えば、室内の照明が消灯される２２時〜６時）において実行する。つまり、実施例１のような、おやすみ運転等の運転モードのユーザによる設定等にかかわらず、リモコン装置１０は、予め設定された時間帯において、点灯後再押下送信処理を実行する。
【００７３】
図１２は、本実施形態に係るリモコン装置１０の点灯後再押下送信処理（実施例２）を実行する流れを示すフローチャートである。
図１２において、リモコン装置１０は、点灯後再押下送信処理の開始時刻から終了時刻の間に、ユーザにより操作ボタン３が押し下げられた場合に、点灯後再押下送信処理、つまり、１回目の任意の操作ボタン３の押し下げによりバックライトを点灯し、その後、バックライト点灯中の２回目の操作ボタン３の押し下げにより制御情報を室内機１００に送信する処理を実行する。なお、この点灯後再押下送信処理の所定の時間帯（つまり、開始時刻と終了時刻）は、予めリモコン装置１０に設定しておくものとするが、ユーザにより変更可能としてもよいし、季節や地域により、夜明け等の時刻に合わせて自動的に変更するように設定してもよい。
【００７４】
まず、リモコン装置１０の処理部１１（図３参照）は、点灯後再押下送信処理の開始時刻か否かを判定する（ステップＳ３０）。
ここで、点灯後再押下送信処理の開始時刻でない場合は（ステップＳ３０→Ｎｏ）、ステップＳ３０に戻り、当該開始時刻になるまで待つ。一方、処理部１１は、点灯後再押下送信処理の開始時刻であると判定した場合は（ステップＳ３０→Ｙｅｓ）、次のステップＳ３１に進む。そして、ステップＳ３１において、処理部１１は、点灯後再押下送信処理を開始する。
【００７５】
次に、処理部１１は、点灯後再押下送信処理の終了時刻か否かを判定する（ステップＳ３２）。
ここで、点灯後再押下送信処理の終了時刻でない場合は（ステップＳ３２→Ｎｏ）、ステップＳ３２に戻り、当該終了時刻になるまで待つ。一方、処理部１１は、点灯後再押下送信処理の終了時刻であると判定した場合には（ステップＳ３２→Ｙｅｓ）、次のステップＳ３３に進む。
【００７６】
ステップＳ３３において、処理部１１は、点灯後再押下送信処理を終了して、このフローの処理を終える。つまり、処理部１１は、通常の設定として、１回目の操作ボタン３の押し下げにより制御情報を送信する点灯同時送信処理に戻る。
【００７７】
このようにすることで、リモコン装置１０は、点灯後再押下送信処理を、ユーザが就寝すると想定される所定の時間帯に実行することができる。
【００７８】
≪リモコン装置の変形例≫
次に、本実施形態に係るリモコン装置１０の変形例について説明する。以下に説明するリモコン装置１０の変形例は、前記した点灯後再押下送信処理を実行する際、特に、１回目の任意の操作ボタン３の押し下げによりバックライトを点灯させ、そのバックライト点灯中に２回目の操作ボタン３を押し下げるときに発生する誤操作を、さらに低減させるためのものである。
【００７９】
＜変形例１＞
図１３は、本実施形態に係るリモコン装置１０の変形例１について説明するための図である。変形例１は、リモコン装置１０が点灯後再押下送信処理を実行中に、ユーザが任意の操作ボタン３を押し、バックライトが点灯した際に、各処理を実行するための操作ボタン３を視覚により認識（識別）し易くするためのものである。
【００８０】
図１３（ａ）は、操作ボタン３に対応付けられた各機能を、文字・記号等として操作ボタン３上に付した例を示す図である。例えば、自動運転モード（冷房、暖房等を空気調和機Ｓが判定し運転）を選択する操作ボタン３ａに、「自動」という文字が付されている。暖房運転モードを選択する操作ボタン３ａに、「暖房」という文字が付されている。また、冷房運転モードを選択する操作ボタン３に、「冷房」という文字が付されている。
【００８１】
図１３（ｂ）は、照度が低い場合において、さらに各操作ボタン３の機能を認識（識別）し易くするために、各操作ボタンを複数の色で構成させる例を示している。図１３（ｂ）に示すように、例えば、「自動」の操作ボタン３を黄色、「暖房」の操作ボタン３を赤、「冷房」の操作ボタン３を青等とする。ここで、ユーザが頻繁に使用する可能性の高い、冷房運転、暖房運転、自動運転、除湿運転の各操作ボタン３は、少なくとも、それぞれが異なる色となるように設定する。
このようにすることで、バックライト点灯中において、操作ボタン３を押し下げる際の誤操作をさらに低減することができる。
【００８２】
また、ユーザが頻繁に使用する可能性の高い、これらの運転モードの操作ボタン３は、バックライトからの光が透過しやすいクリアキーで構成する。ここで、クリアキーは、光を通す透明なプラスティック等の材質からなるボタンである。クリアキーで操作ボタン３を構成することにより、操作ボタン３の中をバックライトからの光が透過し、操作ボタン３に付された文字・記号等がさらに確認し易くなる。即ち、不透明なプラスティック等で操作ボタン３を構成した場合に、各操作ボタン３によりできる影の影響で操作ボタン３等に付された文字・記号等が視認しづらくなることを防ぐことができる。
さらに、「自動」「暖房」「冷房」等の運転モードのようなユーザが頻繁に使用する可能性の高い操作ボタン３は、図１３（ａ）（ｂ）に示すように、バックライトを備える表示部１のより近くに配置するようにする。このようにすることで、バックライトからの光がより届き易くなり、各操作ボタン３の機能を示す表示（文字・記号等）をさらに認識し易くなる。
【００８３】
＜変形例２＞
次に、本実施形態に係るリモコン装置１０の変形例２について説明する。
図１４は、本実施形態に係るリモコン装置１０の変形例２について説明するための図である。変形例２では、リモコン装置１０が点灯後再押下送信処理を実行中に、ユーザが任意の操作ボタン３を押し、バックライトが点灯した際に、各処理を実行するための操作ボタン３を視覚および触覚により認識（識別）し易くするためのものである。
【００８４】
図１４（ａ）は、操作ボタン３に対応付けられた各機能を、文字・記号等として操作ボタン３上に付した例を示す図である。変形例２では、図１４（ｂ）〜（ｄ）に示すように、この操作ボタン３それぞれの形状を異ならせることにより、バックライト点灯中において、視覚および触覚により、各操作ボタン３の相違を認識させ、誤操作をさらに防ぐようにする。
【００８５】
図１４（ｂ）は、図１４（ａ）に示す操作ボタン３において、当該ボタンをユーザが押し下げる面（以下、「被押圧面」と称する。）に凸部を設けた例を説明するための図である。なお、図１４（ｂ）においては、操作ボタン３に付された文字・記号等の図示を省略している（図１４（ｃ）も同様）。
図１４（ｂ）に示すように、例えば、「自動」の運転モードを示す操作ボタン３（符号ｘ）の被押圧面の中央に凸部（突起等）を設ける。「暖房」の運転モードを示す操作ボタンの３（符号ｙ）の被押圧面の上部に凸部を設ける。「冷房」の運転モードを示す操作ボタン３（符号ｚ）の被押圧面の下部に凸部を設ける。ここでは、少なくとも、冷房運転、暖房運転、自動運転、除湿運転の各操作ボタン３は、それぞれが異なる形状（凸部の位置が異なる）となるように設定する。このようにすることで、ユーザは、凸部の位置を視覚と触覚により認識することができ、その位置に基づき、目的とする操作ボタン３を識別することが容易となり、点灯後再押下送信処理において、さらに、誤送信を防ぐことができる。
【００８６】
図１４（ｃ）（ｄ）は、図１４（ｂ）の破線で囲まれた操作ボタン３である、「暖房」の運転モードを示す操作ボタン３（符号ｙ）および「冷房」の運転モードを示す操作ボタン３（符号ｚ）を抽出した図である。図１４（ｃ）は、抽出した操作ボタン３の正面図、図１４（ｄ）は、抽出した操作ボタン３について、リモコン装置１０の下部側から見た概念図である。図１４（ｄ）に示すように、「暖房」の操作ボタン３と「冷房」の操作ボタン３の被押圧面に傾斜を設け、両ボタンが異なる方向に傾斜するように配置する。このようにすることで、ユーザは、操作ボタン３の被押圧面の傾斜を認識することにより、目的とする操作ボタン３を識別することが容易となり、点灯後再押下送信処理において、さらに、誤送信を防ぐことができる。
【００８７】
以上、本発明の実施形態について説明したが、本発明は、上記した実施形態や変形例に限定されるものではなく、さらに、様々な変形例が含まれる。上記の実施形態や変形例は、本発明を分かり易く説明するために詳細に説明したものであり、必ずしも説明したすべての構成を備えるものに限定されるものではない。また、ある実施形態の構成の一部を他の実施形態の構成に置き換えることが可能であり、また、ある実施形態の構成に他の実施形態の構成を加えることも可能である。
【符号の説明】
【００８８】
１      表示部
２      操作部
３，３ａ，３ｂ  操作ボタン
４      扉
９      筺体
１０    リモコン装置
１１    処理部
１２    操作受付部
１３    送受信部
１４    記憶部
１００  室内機
１０１  リモコン送受信部
１０２  環境検出部
１０３  撮像部
１０４  記憶部
１１０  制御部
１１１  運転制御部
１１２  駆動制御部
１１３  撮像検出部
２００  室外機
Ｓ      空気調和機
【図１】
0006405192.tif 000002
【図２】
0006405192.tif 000003
【図３】
0006405192.tif 000004
【図４】
0006405192.tif 000005
【図５】
0006405192.tif 000006
【図６】
0006405192.tif 000007
【図７】
0006405192.tif 000008
【図８】
0006405192.tif 000009
【図９】
0006405192.tif 000010
【図１０】
0006405192.tif 000011
【図１１】
0006405192.tif 000012
【図１２】
0006405192.tif 000013
【図１３】
0006405192.tif 000014
【図１４】
0006405192.tif 000015